(57)【要約】【課題】懸賞に応募させることで、広い範囲の応募者に広告企業の宣伝内容を認知させることが可能な懸賞提供装置および懸賞提供方法並びに懸賞提供プログラムを提供する。【解決手段】第１クイズと、広告ページへのＵＲＬと、応募券識別情報とが含まれた二次元コードを読み取った携帯電話装置を、ＵＲＬに基づいて広告ページへ誘導する懸賞提供装置において、広告ページから得た第１クイズの解答と、電子メールアドレスとを入力させて登録する第１受付手段３２と、正解者の電子メールアドレスを抽出する正解抽出手段３３と、電子メールアドレス全部に、第２クイズと、広告ページへのＵＲＬとを含む電子メールを提供するメール送信手段３４と、広告ページから得た第２クイズの解答を入力させて登録する第２受付手段３５と、第２クイズの正解者の中から重複を検出し、重複を除去した第２クイズの正解者の中から当選者を決定する当選者決定手段３６とを備えた。【選択図】図２
2008003813.tif 000002
【特許請求の範囲】
【請求項１】
第１クイズと、前記第１クイズのヒントが掲載された広告ページへの案内アドレスと、他の光学的読取情報と区別するための応募券識別情報とが含まれた光学的読取情報を読み取った応募者利用端末を、前記案内アドレスに基づいて前記広告ページへ誘導する懸賞提供装置において、
前記第１クイズのヒントが掲載された広告ページから得た第１クイズの解答と、前記応募券識別情報と、応募者を識別する応募者識別情報と、応募者の電子メールアドレスとを入力させて登録する第１受付手段と、
前記第１クイズの解答が正解である応募者の電子メールアドレスを抽出する正解抽出手段と、
前記抽出された電子メールアドレス全部に、第２クイズと、前記第２クイズのヒントが掲載された広告ページへの案内アドレスとを含む電子メールを提供するメール送信手段と、
前記第２クイズのヒントが掲載された広告ページから得た第２クイズの解答と、前記応募者識別情報とを入力させて登録する第２受付手段と、
前記第２クイズが最終クイズであるときに、第２クイズの正解者の中から応募券識別情報の重複を検出し、この重複の中から一を選択し、重複を除去した第２クイズの正解者の中から当選者を決定する当選者決定手段とを備えたことを特徴とする懸賞提供装置。
【請求項２】
前記メール送信手段は、前記電子メールを送信するときに、前記第１クイズを正解したことを示す第１クイズ解答者識別情報を付加して送信し、
前記第２受付手段は、前記第２クイズの解答および応募者識別情報と共に、前記第１クイズ解答者識別情報を入力させて登録することを特徴とする請求項１記載の懸賞提供装置。
【請求項３】
前記第１受付手段は、前記第１クイズの解答と応募者識別情報とを受け付けた日時を第１クイズ登録日時情報として登録し、
前記当選者決定手段は、前記第１クイズ登録日時情報が登録されていることを条件に当選を決定することを特徴とする請求項１または２記載の懸賞提供装置。
【請求項４】
第１クイズと、前記第１クイズのヒントが掲載された広告ページへの案内アドレスと、他の光学的読取情報と区別するための応募券識別情報とが含まれた光学的読取情報を応募者利用端末が読み取るステップと、
前記応募者利用端末が、前記第１クイズのヒントが掲載された広告ページから得た第１クイズの解答と、前記応募券識別情報と、応募者を識別する応募者識別情報と、応募者の電子メールアドレスとを、懸賞クイズを提供する懸賞提供装置へ登録するステップと、
前記懸賞提供装置が、前記第１クイズの解答が正解である応募者の電子メールアドレスを抽出するステップと、
前記懸賞提供装置が、前記抽出された電子メールアドレス全部に、第２クイズと、前記第２クイズのヒントが掲載された広告ページへの案内アドレスとを含む電子メールを提供するステップと、
前記応募者利用端末が、前記第２クイズのヒントが掲載された広告ページから得た第２クイズの解答と、前記応募者識別情報とを前記懸賞提供装置へ登録するステップと、
前記懸賞提供装置が、前記第２クイズが最終クイズであるときに、第２クイズの解答者が正解である応募者の前記応募券識別情報の重複を検出し、この重複の中から一を選択するステップと、
前記懸賞提供装置が、重複が除去された第２クイズの応募者の中から当選者を決定するステップとを含むことを特徴とする懸賞提供方法。
【請求項５】
第１クイズと、前記第１クイズのヒントが掲載された広告ページへの案内アドレスと、他の光学的読取情報と区別するための応募券識別情報とが含まれた光学的読取情報を読み取った応募者利用端末を、前記案内アドレスに基づいて前記広告ページへ誘導するためにコンピュータを、
前記第１クイズのヒントが掲載された広告ページから得た第１クイズの解答と、前記応募券識別情報と、応募者を識別する応募者識別情報と、応募者の電子メールアドレスとを入力させて登録する第１受付手段と、
前記第１クイズの解答が正解である応募者の電子メールアドレスを抽出する正解抽出手段と、
前記抽出された電子メールアドレス全部に、第２クイズと、前記第２クイズのヒントが掲載された広告ページへの案内アドレスとを含む電子メールを提供するメール送信手段と、
前記第２クイズのヒントが掲載された広告ページから得た第２クイズの解答と、前記応募者識別情報とを入力させて登録する第２受付手段と、
前記第２クイズが最終クイズであるときに、第２クイズの正解者の中から応募券識別情報の重複を検出し、この重複の中から一を選択し、重複を除去した第２クイズの正解者の中から当選者を決定する当選者決定手段として機能させるための懸賞提供プログラム。
【発明の詳細な説明】
【技術分野】
【０００１】
本発明は、光学的読取情報に含まれるクイズを応募者利用端末に読み取らせ、このクイズのヒントが掲載された広告ページへ応募者を誘導する懸賞提供装置におよび懸賞提供方法並びに懸賞提供プログラムに関する。
【背景技術】
【０００２】
企業は、商品の購入を促進させるために、商品に付与した二次元コードを利用してクイズや抽選などを行うキャンペーンを活発に行っている。例えば、特許文献１には、商品に付与され、アドレスと抽選ＩＤが埋め込まれた二次元コードを携帯電話機により認識して、認識したアドレスで特定されるＷＥＢサーバにアクセスして抽選ＩＤを送信し、抽選ＩＤから応募の重複チェックを行った後に、抽選の実行を行うキャンペーン装置が記載されている。
【０００３】
購買者に商品の購入を促すためには、まず商品や、その商品を提供している企業を認知して貰う必要がある。従って、企業は、認知のための宣伝活動も重要である。例えば、特許文献２には、ユーザ登録を済ませた利用者の利用者端末に、宣伝内容およびクイズを含む広告ページを表示し、利用者がこのクイズに正解すると次の広告ページを提供し、更に広告ページのクイズに正解すると最終ページを提供して、最終ページのクイズに正解すると賞品や特典が与えられるというものであり、順次、利用者がクイズに解答しながら広告主が提供する宣伝内容を利用者へ繰り返して伝えることができるという宣伝活動支援装置が記載されている。
【０００４】
【特許文献１】特開２００５−４９９７３号公報
【特許文献２】特開２００２−７４１６２号公報
【発明の開示】
【発明が解決しようとする課題】
【０００５】
しかし、特許文献１に記載のキャンペーン装置では、応募した段階で重複チェックが行われるので、商品の購入者のみしかこのキャンペーンに参加できず、広く宣伝したい広告企業の思惑とは乖離するおそれがある。
【０００６】
また、特許文献２に記載の宣伝活動支援装置では、利用者にクイズの正解ごとに何度も広告ページを提供することで宣伝内容を認知させることができるが、広い範囲の利用者に認知されることを可能としているわけではない。
【０００７】
企業は、懸賞の賞品を提供することで、応募者の射幸心を向上させて、多くの応募者に広告ページを参照して貰いたいものである。しかし、応募に対する条件が厳しいと懸賞に応募したくてもできないので、応募者が制限され、折角、懸賞の賞品を提供しても、限られた範囲の応募者にしか広告ページが参照されない。
【０００８】
そこで本発明は、懸賞に応募させることで、広い範囲の応募者に広告企業の宣伝内容を認知させることが可能な懸賞提供装置および懸賞提供方法並びに懸賞提供プログラムを提供することを目的とする。
【課題を解決するための手段】
【０００９】
本発明の懸賞提供装置は、第１クイズと、前記第１クイズのヒントが掲載された広告ページへの案内アドレスと、他の光学的読取情報と区別するための応募券識別情報とが含まれた光学的読取情報を読み取った応募者利用端末を、前記案内アドレスに基づいて前記広告ページへ誘導する懸賞提供装置において、前記第１クイズのヒントが掲載された広告ページから得た第１クイズの解答と、前記応募券識別情報と、応募者を識別する応募者識別情報と、応募者の電子メールアドレスとを入力させて登録する第１受付手段と、前記第１クイズの解答が正解である応募者の電子メールアドレスを抽出する正解抽出手段と、前記抽出された電子メールアドレス全部に、第２クイズと、前記第２クイズのヒントが掲載された広告ページへの案内アドレスとを含む電子メールを提供するメール送信手段と、前記第２クイズのヒントが掲載された広告ページから得た第２クイズの解答と、前記応募者識別情報とを入力させて登録する第２受付手段と、前記第２クイズが最終クイズであるときに、第２クイズの正解者の中から応募券識別情報の重複を検出し、この重複の中から一を選択し、重複を除去した第２クイズの正解者の中から当選者を決定する当選者決定手段とを備えたことを特徴とする。
【００１０】
自ら入手した光学的読取情報を使用して正規に応募しても、他人から入手した光学的読取情報で、１度応募されたものを使用して応募しても、更に、何度も同じ人が応募しても、第１受付手段により受け付けられた第１クイズの解答が正解であれば、正解抽出手段により抽出された電子メールアドレス宛に第２クイズを含む電子メールがメール送信手段により送信される。従って、第１クイズに応募しようとする応募者を、光学的読取情報の数に制限されることなく広告ページへ誘導させることができる。そして、最終的には、第２クイズに解答した応募者で、かつ正解者である中から当選者決定手段により重複を除去して、当選者を決定するので、同じ光学的読取情報に基づいて何度も応募しても、不正を排除することができる。
【００１１】
前記メール送信手段は、前記電子メールを送信するときに、前記第１クイズを正解したことを示す第１クイズ解答者識別情報を付加して送信し、前記第２受付手段は、前記第２クイズの解答および応募者識別情報と共に、前記第１クイズ解答者識別情報を入力させて登録するのが望ましい。そうすることで、第２クイズから参加しようする応募者は、第１クイズ解答識別情報を得ていないので、途中からの参加を防止することができる。
【００１２】
前記第１受付手段は、前記第１クイズの解答と応募者識別情報とを受け付けた日時を第１クイズ登録日時情報として登録し、前記当選者決定手段は、前記第１クイズ登録日時情報が登録されていることを条件に当選を決定するのが望ましい。第２クイズから参加しようする応募者は、第１クイズの解答を行っていないので、第１クイズ登録日時情報が登録されていない。従って、確実に、途中からの参加を防止することができる。
【００１３】
また、本発明の懸賞提供方法は、第１クイズと、前記第１クイズのヒントが掲載された広告ページへの案内アドレスと、他の光学的読取情報と区別するための応募券識別情報とが含まれた光学的読取情報を応募者利用端末が読み取るステップと、前記応募者利用端末が、前記第１クイズのヒントが掲載された広告ページから得た第１クイズの解答と、前記応募券識別情報と、応募者を識別する応募者識別情報と、応募者の電子メールアドレスとを、懸賞クイズを提供する懸賞提供装置へ登録するステップと、前記懸賞提供装置が、前記第１クイズの解答が正解である応募者の電子メールアドレスを抽出するステップと、前記懸賞提供装置が、前記抽出された電子メールアドレス全部に、第２クイズと、前記第２クイズのヒントが掲載された広告ページへの案内アドレスとを含む電子メールを提供するステップと、前記応募者利用端末が、前記第２クイズのヒントが掲載された広告ページから得た第２クイズの解答と、前記応募者識別情報とを前記懸賞提供装置へ登録するステップと、前記懸賞提供装置が、前記第２クイズが最終クイズであるときに、第２クイズの解答者が正解である応募者の前記応募券識別情報の重複を検出し、この重複の中から一を選択するステップと、前記懸賞提供装置が、重複が除去された第２クイズの応募者の中から当選者を決定するステップとを含むことを特徴とする。
【００１４】
また、懸賞提供プログラムは、第１クイズと、前記第１クイズのヒントが掲載された広告ページへの案内アドレスと、他の光学的読取情報と区別するための応募券識別情報とが含まれた光学的読取情報を読み取った応募者利用端末を、前記案内アドレスに基づいて前記広告ページへ誘導するためにコンピュータを、前記第１クイズのヒントが掲載された広告ページから得た第１クイズの解答と、前記応募券識別情報と、応募者を識別する応募者識別情報と、応募者の電子メールアドレスとを入力させて登録する第１受付手段と、前記第１クイズの解答が正解である応募者の電子メールアドレスを抽出する正解抽出手段と、前記抽出された電子メールアドレス全部に、第２クイズと、前記第２クイズのヒントが掲載された広告ページへの案内アドレスとを含む電子メールを提供するメール送信手段と、前記第２クイズのヒントが掲載された広告ページから得た第２クイズの解答と、前記応募者識別情報とを入力させて登録する第２受付手段と、前記第２クイズが最終クイズであるときに、第２クイズの正解者の中から応募券識別情報の重複を検出し、この重複の中から一を選択し、重複を除去した第２クイズの正解者の中から当選者を決定する当選者決定手段として機能させるためのものである。
【発明の効果】
【００１５】
本発明によれば、第１クイズに応募しようとする応募者を、光学的読取情報の数に制限されることなく広告ページへ誘導させることができ、最終的には不正を排除することができるので、広い範囲の応募者に広告企業の宣伝内容を認知させることが可能である。
【発明を実施するための最良の形態】
【００１６】
本発明の実施の形態に係る懸賞提供システムを図面に基づいて説明する。まずは、本実施の形態に係る懸賞提供システムの構成を図１から図３に基づいて説明する。図１は、本発明の実施の形態に係る懸賞提供システムの全体構成を示す図である。図２は、図１に示す懸賞提供装置である懸賞サーバの構成を示す図である。図３は、情報コードの一例を示す図である。
【００１７】
図１に示すように、懸賞提供システム１は、応募者が使用する応募者利用端末２である携帯電話機２１およびパーソナルコンピュータ（以下、ＰＣと称す。）２２と、販売促進のキャンペーンを提供する懸賞提供企業に設置された懸賞サーバ３と、このキャンペーンに参加する広告企業に設置された広告サーバ４とが、インターネット５で接続されている。このキャンペーンは、懸賞提供企業が、景品や、景品購入費または旅行の実施費を提供する代わりに、販売促進や企業認知の促進を希望する広告企業を募り、応募者に２回のクイズを解答させることで、これらの賞品を応募者に提供するものである。
【００１８】
携帯電話機２１は、キャンペーンの対象商品、またはキャンペーンを紹介するチラシなどに付与された二次元コードの読み取り機能や、懸賞サーバ３および広告サーバ４などのサイトへのアクセス機能や、電子メールの送受信機能などを備えている。
【００１９】
二次元コードは、１回目のクイズ（第１クイズ）と、１回目のクイズのヒントが掲載された広告サーバ４の広告ページのアドレスを示すＵＲＬ（案内アドレス）と、他の二次元コードを区別するための商品ＱＲナンバー（応募券識別情報）と、賞品内容などが懸賞応募情報として含まれている。二次元コードは、例えば、ＱＲコード（登録商標）などを使用することができるが、携帯電話機２１や、ＰＣ２２に接続可能な光学的読取装置で読み取り可能で、かつ懸賞応募情報が格納できれば、バーコードなどの他の光学的読取情報とすることもできる。しかし、ＱＲコードを読み取ることが可能な携帯電話機２１が、最も普及しているので、商品に付与したりチラシに付与したりするにはＱＲコードとするのが望ましい。
【００２０】
ＰＣ２２は、懸賞サーバ３および広告サーバ４などのサイトへのアクセス機能や、電子メールの送受信機能などを備えている。
【００２１】
懸賞サーバ３は、コンピュータに懸賞提供プログラムを動作させることで懸賞提供装置として機能するもので、応募者利用端末２からのアクセスにより解答入力ページや、結果発表ページなどを、応募者利用端末２へ表示させるウェブサーバである。懸賞サーバ３は、通信手段３１と、第１受付手段３２と、正解抽出手段３３と、メール送信手段３４と、第２受付手段３５と、当選者決定手段３６と、記憶手段３７と、表示手段３８と、入力手段３９とを備えている。
【００２２】
通信手段３１は、インターネット５と通信を行うもので、インターネット５と接続するＬＡＮなどが使用できる。
【００２３】
第１受付手段３２は、応募者利用端末２からのウェブアクセスに応じて、１回目のクイズの解答入力ページを送信し、応募者利用端末２から入力された第１解答情報を、記憶手段３７に解答者情報として登録する機能を備えている。
【００２４】
応募者利用端末２から入力される第１解答情報は、１回目のクイズの解答と、二次元コードを読み取ったことの証明となる商品ＱＲナンバーと、応募者を識別する応募者識別情報としてのニックネームと、住所と、年齢と、電子メールアドレスと、携帯電話番号の所定の３桁である第１携帯番号情報などとすることができる。また、この第１解答情報には、第１受付手段３２が受け付けた日時が、第１クイズ登録日時情報として含まれている。
【００２５】
正解抽出手段３３は、記憶手段３７に登録された第１解答情報の中から１回目のクイズの正解者および不正解者を抽出し、応募者利用端末２からのウェブアクセスに応じて、１回目のクイズの正解を表示すると共に、正解者の発表に代えて不正解者のニックネームを表示する結果発表ページを送信する機能を備えている。
【００２６】
メール送信手段３４は、１回目のクイズの正解者の電子メールアドレス全部に、１回目のクイズに正解したことを示す第１クイズ解答者識別情報としてクイズ正解ナンバーと、２回目のクイズ（第２クイズ）と、２回目のクイズのヒントが掲載された広告サーバ４の広告ページへのＵＲＬ（案内アドレス）とを、電子メールで送信する機能を備えている。
【００２７】
第２受付手段３５は、応募者利用端末２からのウェブアクセスに応じて、２回目のクイズの解答入力画面を送信し、応募者利用端末２から入力された第２解答情報を、記憶手段３７に第１解答情報に関連付けて登録する機能を備えている。また、この第２解答情報には、第２受付手段３５が受け付けた日時が、第２クイズ登録日時情報として含まれている。
【００２８】
応募者利用端末２から入力される第２解答情報は、２回目のクイズの解答と、クイズ正解ナンバーと、ニックネームと、電子メールアドレスと、第１携帯番号情報とは異なる携帯電話番号の所定の３桁である第２携帯番号情報などとすることができる。
【００２９】
当選者決定手段３６は、２回目のクイズの正解者の中から商品ＱＲナンバーの重複や、クイズ正解ナンバーの重複を検出し、この重複の中から一を選択して解答者情報に登録する機能を備えている。本実施の形態では、重複の中から一を選択する方法として、第２クイズ登録日時情報が最も早かった応募を優先とする。そして、当選者決定手段３６は、解答者情報により第２クイズの正解者の中から抽選で当選者を決定する。
【００３０】
記憶手段３７は、予め設定されたコード情報と、解答者情報とが登録されている。
ここでコード情報について、図３に基づいて詳細に説明する。
【００３１】
図３に示すように、コード情報は、予め１０桁の乱数である乱数Ａ，Ｂの２つを発生させ、この乱数Ａに基づいて、商品またはチラシに付与される二次元コードＣの商品ＱＲナンバーと、ニックネームに対応させたニックネームナンバーとを発生させ、乱数Ｂからクイズ正解ナンバーを発生させたものである。例えば、図３に示すように、乱数Ａ「３３２０７８４４８５」とすると、商品ＱＲナンバーを、上位５桁を取り出した「３３２０７」とする。また、ニックネームナンバーを上位５桁目から下位５桁を取り出した「７８４４８」とする。また乱数Ｂ「１２６７８３３６６６」とすると、クイズ正解ナンバーを「１２６７８」とする。つまり、二次元コードＣを読み取り、１回目のクイズに応募する際に入力したニックネームに割り当てられるニックネームナンバーと、正解者に与えられるクイズ正解ナンバーとは、予めコード情報で設定されたナンバーが付与される。解答者情報は、第１受付手段３２が登録する第１解答情報と、第２受付手段３５が登録する第２解答情報とが関連付けられたものである。このように、乱数Ａから商品ＱＲナンバーと、ニックネームナンバーとを生成することで、商品ＱＲナンバーと、ニックネームナンバーとをそれぞれ乱数を発生させて生成するより、計算処理を早く実行させることができる。また、乱数Ｂからクイズ正解ナンバーを発生することで、商品ＱＲナンバーと、ニックネームナンバーとから、クイズ正解ナンバーを容易に予想されることを防止することができる。
【００３２】
図２に戻って、表示手段３８は、ＬＣＤやＣＲＴなどが使用できる。入力手段３９は、キーボードやマウスなどのポインティングデバイスなどが使用できる。
【００３３】
図１に示すように、広告サーバ４は、キャンペーンに参加する広告企業が、自社の商品やサービスの広告を、応募者利用端末２からのアクセスにより応募者利用端末２に表示させるウェブサーバである。
【００３４】
以上のように構成される本発明の実施の形態に係る懸賞提供システム１の動作を、更に図４から図１３を参照しながら説明する。図４は、携帯電話機で読み取る二次元コードを示す図である。図５は、本発明の実施の形態に係る懸賞提供システムの動作を説明する図である。図６は、１回目のクイズの一例を示す図である。図７は、広告サーバの広告ページの一例を示す図である。図８は、懸賞サーバの解答入力ページの一例を示す図である。図９は、懸賞サーバの結果発表ページの一例を示す図である。図１０は、２回目のクイズの一例を示す図である。図１１は、懸賞サーバの解答入力ページの一例を示す図である。図１２は、応募者が重複している状態を示す図である。図１３は、懸賞サーバの当選者発表ページの一例を示す図である。
【００３５】
まず、図４に示すように、応募者は、キャンペーン対象商品を購入したり、配布されているキャンペーンのチラシを入手することで、商品や、チラシに印刷された二次元コードＣを得て、携帯電話機２１により読み取る（図５（Ｓ１００））。
【００３６】
二次元コードＣを読み取ることで、図６に示すように、１回目のクイズと、広告サーバ４の広告ページへのＵＲＬ「http://www.ＡＢＣ.co.jp/index.html」と、商品ＱＲナンバー「３３２０７」と、賞品内容などが表示される（図５（Ｓ１１０））。本実施の形態では、図６に示す例として、商品を購入した場合を図示している。
【００３７】
賞品を所望する応募者は、ヒントを示すＵＲＬを参照して広告サーバ４の広告ページへアクセスする（図５（Ｓ１２０））。広告サーバ４へのアクセスは、広告ページが携帯電話機２１の画面でも表示可能に作成されていれば携帯電話機２１で、ＰＣ２２用に作成されていれば携帯電話機２１からではなく、このＵＲＬをＰＣ２２のブラウザに入力して行う。本実施の形態では、ＰＣ２２で参照する例を説明する。ＰＣ２２により広告ページへアクセスすることで、広告サーバ４から広告ページが送信され、ＰＣ２２に広告ページが表示される（図５（Ｓ１３０））。
【００３８】
図７に、ＰＣ２２に表示された広告ページを示す。１回目のクイズが、「天ぷらそば  昆布と■■■■のだしをたっぷり」の■に入る言葉を尋ねている。上段の天ぷらそばの項目には、「かつお節とさば節に、昆布としいたけのだしをたっぷり効かせて・・」と記載されている。従って、応募者は、１回目のクイズの答えが「しいたけ」であることを認識する。応募者は、解答を見つけるために、じっくりとこの広告ページを読む必要があるので、自然と広告企業の商品の特徴を認識する。そして、広告ページの下段に位置する「キャンペーンクイズ参加」のボタンを押下することで、懸賞サーバ３の解答入力ページへジャンプする（図５（Ｓ１４０））。
【００３９】
ＰＣ２２により解答入力ページのＵＲＬをアクセスすることで、懸賞サーバ３は、第１受付手段３２により、図８に示す解答入力ページをＰＣ２２に送信する（図５（Ｓ１５０））。
【００４０】
解答入力ページには、１回目のクイズの解答を「かつお」、「しいたけ」、「にぼし」の中から一を選択するラジオボタンと、応募者を特定するための各種の入力項目と、「送信」ボタンおよび「クリア」ボタンとが表示されている。入力項目として、商品に付与され、携帯電話機２１で読み取ったときに表示される商品ＱＲナンバーと、ニックネームと、住所として都道府県名と、年齢と、電子メールアドレスと、携帯電話番号とが表示されている。携帯電話番号は、全１１桁のうち、本実施の形態では下位から２桁と、下位から６桁目の合計３桁を第１携帯番号情報として入力するものである。応募者は、解答および入力項目を入力して「送信」ボタンを押下することで、ＰＣ２２からこれらの情報が、懸賞サーバ３に送信される（図５（Ｓ１６０））。これらの情報を受信した懸賞サーバ３の第１受付手段３２は、第１解答情報として記憶手段３７に登録する。また、第１受付手段３２は、登録された日時を第１クイズ登録日時情報として記憶手段３７に登録する。
【００４１】
この解答入力ページでは、応募者が、再度、ヒントを参照したときのために、クイズの解答を入力するラジオボタンの横に、ヒントが掲載されている広告ページを参照するアイコンが配置されている。従って、応募者は、解答入力ページから逆に、広告ページへアクセスすることも可能である。
【００４２】
ここで、図５に示すＳ１００からＳ１６０においては、一人の応募者が応募した状態を説明しているが、同じ二次元コードＣを使用して応募することが想定される。例えば、応募者の兄弟、姉妹がこのキャンペーンを知り、先に応募した携帯電話機２１とは異なる携帯電話機２１を使用して応募したり、同じ応募者が複数回応募したりすると、それぞれがＳ１００からＳ１６０を実施することになる。その場合には、例えば同じ商品ＱＲナンバーで、異なるニックネームであったり、異なる第１携帯番号情報であったりする。第１受付手段３２は、これらの重複や相違をチェックすることなく、それぞれを第１解答情報として記憶手段３７に登録していく。
【００４３】
１回目のクイズのキャンペーンの期間が終了すると、正解抽出手段３３が、記憶手段３７に登録された第１解答情報の中から１回目のクイズの正解者および不正解者を抽出する（図５（Ｓ１７０））。
【００４４】
結果を知りたい応募者は、懸賞サーバ３の結果発表ページにアクセスする（図５（Ｓ１８０））。懸賞サーバ３は、結果発表ページをＰＣ２２へ送信する（図５（Ｓ１９０））。図９に示すように、結果発表ページは、実施した１回目のクイズを示す情報を上段に、クイズ不正解者を示す商品ＱＲナンバーおよびニックネームが下段に表示されている。キャンペーンにおけるクイズは、応募者への商品認知および企業認知が目的であるため、難易度の低いものとしているので、応募された解答の大多数は正解となる。従って、本実施の形態では、正解者の発表に際しては、反対に不正解者を発表している。
【００４５】
懸賞サーバ３は、１回目のクイズの結果を発表すると共に、メール送信手段３４が記憶手段３７に登録された第１解答情報に基づいて、１回目クイズの正解者の電子メールアドレス全部に、２回目にクイズに関する電子メールを送信する（図５（Ｓ２００））。
【００４６】
応募者は、送信された電子メールをＰＣ２２により受信し、表示させる（図５（Ｓ２１０））。図１０に示すように、２回目のクイズに関する電子メールは、１回目のクイズに正解したことを示すクイズ正解ナンバー「１２６７８」と、２回目のクイズと、ヒントが掲載された広告サーバ４の広告ページへのＵＲＬとが含まれている。
【００４７】
応募者は、２回目のクイズに解答するために、ヒントを示すＵＲＬを参照して広告サーバ４の広告ページへアクセスする（図５（Ｓ２２０））。広告ページへアクセスすることで、広告サーバ４から広告ページが送信され、ＰＣ２２の画面に広告ページが表示される（図５（Ｓ２３０））。
【００４８】
そして、応募者は、１回目のクイズと同様に広告ページを参照して、２回目のクイズの解答を得ることで、２回目のクイズの解答を入力するために、懸賞サーバ３へアクセスする（図５（Ｓ２４０））。
【００４９】
ＰＣ２２により解答入力ページのＵＲＬにアクセスすることで、懸賞サーバ３は、第２受付手段３５により、図１１に示す解答入力ページをＰＣ２２へ送信する（図５（Ｓ２５０））。
【００５０】
図１１に示すように、解答入力ページは、２回目のクイズの解答を「ＡＡＡ」、「ＢＢＢ」の中から一を選択するラジオボタンと、応募者を特定するための各種の入力項目と、「送信」ボタンおよび「クリア」ボタンとが表示されている。入力項目として、１回目のクイズに正解したことを示すクイズ正解ナンバーと、ニックネームと、電子メールアドレスと、携帯電話番号とが表示されている。携帯電話番号は、全１１桁のうち、本実施の形態では下位から２桁目と、下位から４桁目と、上位から４桁目の合計３桁を第２携帯番号情報として入力するものである。応募者は、広告ページから、広告企業が、関係強化を図ったＣＰＵのトップメーカの企業名を得て、解答入力ページへ入力し、かつ他の項目も入力して、「送信」ボタンを押下して２回目のクイズに応募する。
【００５１】
「送信」ボタンを押下することで、ＰＣ２２からこれらの情報が、懸賞サーバ３に送信される（図５（Ｓ２６０））。これらの情報を受信した懸賞サーバ３の第２受付手段３５は、第２解答情報として、第１解答情報と関連付けて記憶手段３７に登録する。また、第２受付手段３５は、登録された日時を第２クイズ登録日時情報として記憶手段３７に登録する。
【００５２】
２回目のクイズのキャンペーンの期間が終了すると、当選者決定手段３６は、記憶手段３７に登録された第１解答情報および第２解答情報の中から重複応募を除去し当選者を決定する。この重複の排除について、図１２に基づいて詳細に説明する。
【００５３】
重複は、１回目のクイズを応募する際に、同じ二次元コードＣを参照して応募したことで商品ＱＲナンバーの同一が発生する場合と、２回目のクイズを応募する際に、他人のクイズ正解ナンバーを見て応募したことでクイズ正解ナンバーの同一が発生する場合がある。
【００５４】
図１２に示すように、当選者決定手段３６は、応募券識別情報である商品ＱＲナンバーの重複を抽出する。ニックネーム「キム」と、「ミチ」と、「ｍｕ」とが検出される。この３つの応募に関しては、電子メールアドレスが異なることから、同じ二次元コードＣを参照した他人が応募したものか、同一人が複数回応募して電子メールアドレスを異なるものとしたものかである。また、クイズ正解ナンバーの同一も抽出する。クイズ正解ナンバーの同一では、上記３人とニックネーム「ムラ」が加わった４人が検出される。
【００５５】
図３に示すコード情報では、乱数Ａ，Ｂに対応させて商品ＱＲナンバーやクイズ正解ナンバーやニックネームナンバーを発生させているので、図１２では、ニックネームナンバー、商品ＱＲナンバー、クイズ正解ナンバーが重複する。ただし、ニックネーム「ムラ」に関しては、商品ＱＲナンバーおよび第１クイズ登録日時情報が登録されていないことから、２回目のクイズから他人のクイズ正解ナンバーを見て応募したことがわかる。
【００５６】
従って、当選者決定手段３６は、まず、商品ＱＲナンバーおよび第１クイズ登録日時情報が登録されており、かつ第２クイズ登録日時情報が最も早く登録されているものを選択することで重複を除去する（図５（Ｓ２７０））。こうすることで、なんらかの方法によりクイズ正解ナンバーを知り、２回目のクイズから参加した応募を、確実に排除することができる。そして、当選者決定手段３６は、除去された２回目のクイズの正解者の中から、抽選をして賞品の人数分の当選を決定する（図５（Ｓ２８０））。
【００５７】
図１２においては、電子メールアドレスとして１つのみを図示しているが、１回目のクイズで入力された電子メールアドレスと、２回目のクイズで入力された電子メールアドレスとが異なる場合には、注意が必要な応募者として表示手段３８に、表示するようにしてもよい。
【００５８】
当選者決定手段３６は、図１３に示すような当選発表ページで、当選者の発表を行うと共に、メール送信手段３４などを介して電子メールで応募者に当選である旨の通知を行う（図５（Ｓ２９０））。応募者は、懸賞提供企業から連絡先を通知するように依頼した電子メールを受ける（図５（Ｓ３００））。電子メールを受け取った応募者は、賞品を受け取るために、氏名、住所、携帯電話番号の全てや、固定電話の電話番号などの通知を返信する。懸賞提供企業は、返信された電子メールの内容と、第１携帯番号情報の３桁および第２携帯電話番号情報の３桁の合計６桁などから本人確認を行うことが可能である。
【００５９】
このように、１回目のクイズでは応募者の重複をチェックしないので、商品を購入しない応募者に対して、二次元コードＣの数に制限されずに、広告ページへ誘導することができる。また、１回目のクイズに正解した応募者全員の電子メールアドレス宛に２回目のクイズを送信するので、１回目のクイズに正解した全員をそのまま広告ページへ再度誘導することができる。従って、二次元コードＣの数に制限されることなく広告ページへ、幾度も応募者を誘導させることができる。また、クイズの内容を広告企業の商品に関する問題とすることで、同じ応募者が複数回応募した場合でも、より一層商品に関する認知を深めさせることができる。
【００６０】
なお、本実施の形態では、２回目のクイズを最終クイズとしているが、賞品の金額に応じて３回目のクイズや、４回目のクイズなどを最終クイズとしてもよい。しかし、キャンペーン期間の増大や、クイズの問題数を増加させることで最終クイズに到達する応募者が減少することを考慮すれば、２回程度とするのが望ましい。
【００６１】
また、本実施の形態では、二次元コードＣの読み取りに携帯電話機２１を使用し、懸賞サーバ３および広告サーバ４からの各ページの表示にはＰＣ２２を使用したが、懸賞サーバ３および広告サーバ４から送信されるページが携帯電話機２１で表示可能に作成されていれば、携帯電話機２１のみを使用して懸賞に応募することが可能である。
【産業上の利用可能性】
【００６２】
本発明は、商品認知や、企業認知を所望する企業の広告ページへ応募者を誘導する懸賞提供装置におよび懸賞提供方法並びに懸賞提供プログラムに好適である。
【図面の簡単な説明】
【００６３】
【図１】本発明の実施の形態に係る懸賞提供システムの全体構成を示す図である。
【図２】図１に示す懸賞提供装置である懸賞サーバの構成を示す図である。
【図３】情報コードの一例を示す図である。
【図４】携帯電話機で読み取る二次元コードを示す図である。
【図５】本発明の実施の形態に係る懸賞提供システムの動作を説明する図である。
【図６】１回目のクイズの一例を示す図である。
【図７】広告サーバの広告ページの一例を示す図である。
【図８】懸賞サーバの解答入力ページの一例を示す図である。
【図９】懸賞サーバの結果発表ページの一例を示す図である。
【図１０】２回目のクイズの一例を示す図である。
【図１１】懸賞サーバの解答入力ページの一例を示す図である。
【図１２】応募者が重複している状態を示す図である。
【図１３】懸賞サーバの当選者発表ページの一例を示す図である。
【符号の説明】
【００６４】
１  懸賞提供システム
２  応募者利用端末
２１  携帯電話機
２２  パーソナルコンピュータ
３  懸賞サーバ
３１  通信手段
３２  第１受付手段
３３  正解抽出手段
３４  メール送信手段
３５  第２受付手段
３６  当選者決定手段
３７  記憶手段
３８  表示手段
３９  入力手段
４  広告サーバ
５  インターネット
【図１】
2008003813.tif 000003
【図２】
2008003813.tif 000004
【図３】
2008003813.tif 000005
【図４】
2008003813.tif 000006
【図５】
2008003813.tif 000007
【図６】
2008003813.tif 000008
【図７】
2008003813.tif 000009
【図８】
2008003813.tif 000010
【図９】
2008003813.tif 000011
【図１０】
2008003813.tif 000012
【図１１】
2008003813.tif 000013
【図１２】
2008003813.tif 000014
【図１３】
2008003813.tif 000015